(57)【要約】  本開示の実施例は、クロスキャリアスケジューリングのＰＤＣＣＨ候補割当方法及び機器を提供する。該方法において、第１セルにＰＤＣＣＨ設定がなく且つ第２セルの設定に第２セルのＰＤＣＣＨ設定のみが含まれる場合、第２セルのＰＤＣＣＨ設定に基づいて第１セルのＰＤＣＣＨ候補数及び／又は監視パラメータを決定すること、又は、第１セルにＰＤＣＣＨ設定がなく且つ第２セルのＰＤＣＣＨ設定に第１セルの探索空間セット設定又はＰＤＣＣＨ候補数設定が含まれる場合、第１セルの探索空間セット設定又はＰＤＣＣＨ候補数設定に基づいて、第１セルのＰＤＣＣＨ候補数及び／又は監視パラメータを決定すること、又は、第１セルの設定に第１セルの探索空間セット設定又はＰＤＣＣＨ候補数設定が含まれる場合、第１セルの設定に基づいて、第１セルのＰＤＣＣＨ候補数及び／又は監視パラメータを決定することを含む。ここで、前記第１セルは、前記第２セルによってクロスキャリアスケジューリングされるセルである。
2021532625.tif 000002
【特許請求の範囲】
【請求項１】
ネットワーク側機器又は端末に応用される、クロスキャリアスケジューリングの物理下り制御チャネルＰＤＣＣＨ候補割当方法であって、
第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定すること、又は、
第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定すること、又は、
第１セルの設定に前記第１セルの探索空間セット設定又はＰＤＣＣＨ候補数設定が含まれる場合、前記第１セルの設定に基づいて、前記第１セルのＰＤＣＣＨ候補数及び／又は監視パラメータを決定することを含み、
ここで、前記第１セルは、前記第２セルによってクロスキャリアスケジューリングされるセルであるクロスキャリアスケジューリングのＰＤＣＣＨ候補割当方法。
【請求項２】
前記第２セルのＰＤＣＣＨ設定に基づいて、前記第１セルのＰＤＣＣＨ候補数及び／又は監視パラメータを決定することは、
キャリア指示フィールドを含む第１下り制御情報ＤＣＩフォーマットを監視又はブラインド検出するように前記第２セルの探索空間セットが設定される場合、前記第２セルで設定されるＰＤＣＣＨ候補数に基づいて、前記第１セルに割り当てられるＰＤＣＣＨ候補数を決定することを含む、請求項１に記載の方法。
【請求項３】
前記第２セルで設定されるＰＤＣＣＨ候補数に基づいて、前記第１セルに割り当てられるＰＤＣＣＨ候補数を決定することは、
前記第２セルで設定されるＰＤＣＣＨ候補数の平均的な割当方式で、前記第１セル毎に割り当てられるＰＤＣＣＨ候補数を決定すること、
又は、
前記第２セルで設定されるＰＤＣＣＨ候補数及び第１セル毎の第１因子に基づいて、前記第１セル毎に割り当てられるＰＤＣＣＨ候補数を決定することを含み、
ここで、前記第１因子は、前記第１セルのセル識別子、前記第１セルの活性化部分帯域幅ＢＷＰ設定のサブキャリア帯域幅ＳＣＳ及び前記第１セルの帯域幅の１つ又は複数に基づいて決定される、請求項３に記載の方法。
【請求項４】
前記第１セル毎に割り当てられるＰＤＣＣＨ候補数は、前記第２セルで設定されるＰＤＣＣＨ候補数と同じであり、
又は、
前記第１セル毎に割り当てられるＰＤＣＣＨ候補数は、前記第２セルで設定されるＰＤＣＣＨ候補数のサブセットの数と同じであり、
又は、
前記第１セル毎に割り当てられるＰＤＣＣＨ候補数は、前記第２セルで設定されるＰＤＣＣＨ候補数及び第２因子に基づいて決定され、
ここで、前記第２因子は、前記第１セルのセルパラメータと前記第２セルのセルパラメータとの関係に対応する、請求項３に記載の方法。
【請求項５】
前記第２セルで設定されるＰＤＣＣＨ候補数のサブセットは、特定の探索空間セットタイプを監視又はブラインド検出するための前記第２セルで設定されるＰＤＣＣＨ候補数、特定のＤＣＩフォーマットを監視又はブラインド検出するための前記第２セルで設定されるＰＤＣＣＨ候補数、及び前記第２セルで設定される１つ又は複数の探索空間セットのＰＤＣＣＨ候補数のいずれかを含む、請求項４に記載の方法。
【請求項６】
第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、
前記第２セルのＰＤＣＣＨ設定は、前記第１セル毎のＡＬ毎のＰＤＣＣＨ候補数及び／又は監視パラメータ、前記第２セルによって割り当てられるＰＤＣＣＨ候補数及び／又は監視パラメータ、及び前記第２セルの探索空間セットに関連付けられる前記第１セル毎のＡＬ毎に割り当てられるＰＤＣＣＨ候補数及び／又は監視パラメータの１つ又は複数を指示する、請求項１に記載の方法。
【請求項７】
前記第２セルの探索空間セットは、キャリア指示フィールドを含む第２ＤＣＩフォーマットを監視又はブラインド検出するＤＣＩとして設定される、請求項６に記載の方法。
【請求項８】
前記第１セルの探索空間セット設定は、前記第１セル又は第２セルのセル識別子、前記第１セル又は第２セルのＡＬ毎のＰＤＣＣＨ候補数、及び前記第１セル又は第２セルの監視パラメータの１つ又は複数を含む、請求項６に記載の方法。
【請求項９】
前記第１セルの設定に前記第１セルの探索空間セット設定又はＰＤＣＣＨ候補数設定が含まれる場合、
前記第１セルの探索空間セット設定又はＰＤＣＣＨ候補数設定は、前記第２セルの制御リソースセットＣＯＲＥＳＥＴのうち前記第１セルに割り当てられるＰＤＣＣＨの探索空間セット設定又はＰＤＣＣＨ候補数、前記第１セルの探索空間セットと前記第２セルのＣＯＲＥＳＥＴ又は探索空間セットとの間の関係の１つ又は複数を指示する、請求項１に記載の方法。
【請求項１０】
前記第１セルのＰＤＣＣＨ設定に基づいて、前記第１セルのＰＤＣＣＨ候補数及び／又は監視パラメータを決定することは、
キャリア指示フィールドを含む第３ＤＣＩフォーマットを監視又はブラインド検出するように前記第２セルの探索空間セットが設定される場合、前記第１セルのＰＤＣＣＨ設定に基づいて、前記第１セルのＰＤＣＣＨ候補数及び／又は監視パラメータを決定することを含む、請求項１に記載の方法。
【請求項１１】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用される、請求項９に記載の方法。
【請求項１２】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用されることは、
前記第１セルのクロスキャリアスケジューリング設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されること、及び、前記第１セルのサービングセル設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されることのいずれかを含む、請求項１１に記載の方法。
【請求項１３】
前記第１セルのＢＷＰ設定には、前記第１セルの探索空間セット設定又はＡＬ毎のＰＤＣＣＨ候補数設定、及び／又は、前記第１セルと前記第２セルとのＣＯＲＥＳＥＴ又は探索空間の対応関係が含まれる、請求項９に記載の方法。
【請求項１４】
第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定する第１決定モジュール、
第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定する第２決定モジュール、及び／又は、
前記第１セルの設定に前記第１セルの探索空間セット設定又はＰＤＣＣＨ候補数設定が含まれる場合、前記第１セルの設定に基づいて、前記第１セルのＰＤＣＣＨ候補数及び／又は監視パラメータを決定する第３決定モジュールを含み、
ここで、前記第１セルは、前記第２セルによってクロスキャリアスケジューリングされるセルである第１機器。
【請求項１５】
前記第１決定モジュールは、更に、キャリア指示フィールドを含む第１下り制御情報ＤＣＩフォーマットを監視又はブラインド検出するように前記第２セルの探索空間セットが設定される場合、前記第２セルで設定されるＰＤＣＣＨ候補数に基づいて、前記第１セルに割り当てられるＰＤＣＣＨ候補数を決定する、請求項１４に記載の第１機器。
【請求項１６】
前記第１決定モジュールは、更に、前記第２セルで設定されるＰＤＣＣＨ候補数の平均的な割当方式で、前記第１セル毎に割り当てられるＰＤＣＣＨ候補数を決定し、又は、前記第２セルで設定されるＰＤＣＣＨ候補数及び第１セル毎の第１因子に基づいて、前記第１セル毎に割り当てられるＰＤＣＣＨ候補数を決定し、
ここで、前記第１因子は、前記第１セルのセル識別子、前記第１セルの活性化部分帯域幅ＢＷＰ設定のサブキャリア帯域幅ＳＣＳ及び前記第１セルの帯域幅の１つ又は複数に基づいて決定される、請求項１５に記載の第１機器。
【請求項１７】
前記第１セル毎に割り当てられるＰＤＣＣＨ候補数は、前記第２セルで設定されるＰＤＣＣＨ候補数と同じであり、
又は、
前記第１セル毎に割り当てられるＰＤＣＣＨ候補数は、前記第２セルで設定されるＰＤＣＣＨ候補数のサブセットの数と同じであり、
又は、
前記第１セル毎に割り当てられるＰＤＣＣＨ候補数は、前記第２セルで設定されるＰＤＣＣＨ候補数及び第２因子に基づいて決定され、
ここで、前記第２因子は、前記第１セルのセルパラメータと前記第２セルのセルパラメータとの関係に対応する、請求項１５又は１６に記載の第１機器。
【請求項１８】
前記第２セルで設定されるＰＤＣＣＨ候補数のサブセットは、特定の探索空間セットタイプを監視又はブラインド検出するための前記第２セルで設定されるＰＤＣＣＨ候補数、特定のＤＣＩフォーマットを監視又はブラインド検出するための前記第２セルで設定されるＰＤＣＣＨ候補数、及び前記第２セルで設定される１つ又は複数の探索空間セットのＰＤＣＣＨ候補数のいずれかを含む、請求項１７に記載の第１機器。
【請求項１９】
第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、
前記第２セルのＰＤＣＣＨ設定は、前記第１セル毎のＡＬ毎のＰＤＣＣＨ候補数及び／又は監視パラメータ、前記第２セルによって割り当てられるＰＤＣＣＨ候補数及び／又は監視パラメータ、及び前記第２セルの探索空間セットに関連付けられる前記第１セル毎のＡＬ毎に割り当てられるＰＤＣＣＨ候補数及び／又は監視パラメータの１つ又は複数を指示する、請求項１４に記載の第１機器。
【請求項２０】
前記第２セルの探索空間セットは、キャリア指示フィールドを含む第２ＤＣＩフォーマットを監視又はブラインド検出するＤＣＩとして設定される、請求項１９に記載の第１機器。
【請求項２１】
前記第１セルの探索空間セット設定は、前記第１セル又は第２セルのセル識別子、前記第１セル又は第２セルのＡＬ毎のＰＤＣＣＨ候補数、及び前記第１セル又は第２セルの監視パラメータの１つ又は複数を含む、請求項１９に記載の第１機器。
【請求項２２】
前記第１セルの設定に前記第１セルの探索空間セット設定又はＰＤＣＣＨ候補数設定が含まれる場合、
前記第１セルの探索空間セット設定又はＰＤＣＣＨ候補数設定は、前記第２セルの制御リソースセットＣＯＲＥＳＥＴのうち前記第１セルに割り当てられるＰＤＣＣＨの探索空間セット設定又はＰＤＣＣＨ候補数、前記第１セルの探索空間セットと前記第２セルのＣＯＲＥＳＥＴ又は探索空間セットとの間の関係の１つ又は複数を指示する、請求項１４に記載の第１機器。
【請求項２３】
前記第３決定モジュールは、更に、キャリア指示フィールドを含む第３ＤＣＩフォーマットを監視又はブラインド検出するように前記第２セルの探索空間セットが設定される場合、前記第１セルのＰＤＣＣＨ設定に基づいて、前記第１セルのＰＤＣＣＨ候補数及び／又は監視パラメータを決定する、請求項１４に記載の第１機器。
【請求項２４】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用される、請求項２２に記載の第１機器。
【請求項２５】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用されることは、
前記第１セルのクロスキャリアスケジューリング設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されること、及び、前記第１セルのサービングセル設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されることのいずれかを含む、請求項２４に記載の第１機器。
【請求項２６】
前記第１セルのＢＷＰ設定には、前記第１セルの探索空間セット設定又はＡＬ毎のＰＤＣＣＨ候補数設定、及び／又は、前記第１セルと前記第２セルとのＣＯＲＥＳＥＴ又は探索空間の対応関係が含まれる、請求項２２に記載の第１機器。
【請求項２７】
プロセッサと、メモリと、前記メモリに格納されて前記プロセッサで動作可能なコンピュータプログラムを含む端末であって、
前記コンピュータプログラムが前記プロセッサによって実行されると、請求項１〜１３のいずれか１項に記載のクロスキャリアスケジューリングのＰＤＣＣＨ候補割当方法が実現される、端末。
【請求項２８】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項１〜１３のいずれか１項に記載のクロスキャリアスケジューリングのＰＤＣＣＨ候補割当方法が実現される、ネットワーク側機器。
【請求項２９】
コンピュータプログラムが格納されているコンピュータ読み取り可能な記憶媒体であって、
前記コンピュータプログラムがプロセッサによって実行されると、請求項１〜１３のいずれか１項に記載のクロスキャリアスケジューリングのＰＤＣＣＨ候補割当方法が実現される、コンピュータ読み取り可能な記憶媒体。
【発明の詳細な説明】
【技術分野】
【０００１】
関連出願の相互参照
本願は、２０１８年６月２９日に中国特許庁に提出された中国特許出願２０１８１０６９９８９０．８の優先権を主張し、その全ての内容が援用によりここに取り込まれる。
本開示の実施例は、通信技術分野に係り、特にクロスキャリアスケジューリングの物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）候補割当方法及び機器に係る。
【背景技術】
【０００２】
５Ｇ（Ｆｉｆｔｈ−ｇｅｎｅｒａｔｉｏｎ）  ＮＲ（Ｎｅｗ  Ｒａｄｉｏ）システムは、ユーザ機器ＵＥ（Ｕｓｅｒ  Ｅｑｕｉｐｍｅｎｔ）のために設定される各コンポーネントキャリアＣＣ（Ｃｏｍｐｏｎｅｎｔ  Ｃａｒｒｉｅｒ）又はセルのために設定される複数の制御リソースセットＣＯＲＥＳＥＴ（Ｃｏｎｔｒｏｌ  Ｒｅｓｏｕｒｃｅ  Ｓｅｔ）及び複数の探索空間セット（Ｓｅａｒｃｈ  Ｓｐａｃｅ  Ｓｅｔ）をサポートし、探索空間セット毎にＰＤＣＣＨの候補数（以下、候補数と略記する）を柔軟に設定する。また、ＮＲにおいてキャリアアグリゲーションＣＡ（Ｃａｒｒｉｅｒ  Ａｇｇｒｅｇａｔｉｏｎ）もサポートするが、現在のバージョンのＮＲにおいて、ＣＡにおけるクロスキャリアスケジューリング時のＰＤＣＣＨ候補割当をサポートしない。
【発明の概要】
【発明が解決しようとする課題】
【０００３】
本開示の実施例の１つの目的は、クロスキャリアスケジューリングのＰＤＣＣＨ候補割当方法及び機器を提供して、クロスキャリアスケジューリング時のＰＤＣＣＨ候補割当の問題を解決することである。
【課題を解決するための手段】
【０００４】
第１態様として、ネットワーク側機器又は端末に応用されるクロスキャリアスケジューリングのＰＤＣＣＨ候補割当方法を提供する。前記方法において、第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定すること、又は、第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定すること、又は、第１セルの設定に前記第１セルの探索空間セット設定又はＰＤＣＣＨ候補数設定が含まれる場合、前記第１セルの設定に基づいて、前記第１セルのＰＤＣＣＨ候補数及び／又は監視パラメータを決定することを含む。ここで、前記第１セルは、前記第２セルによってクロスキャリアスケジューリングされるセルである。
【０００５】
第２態様として、第１機器を更に提供し、第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定する第１決定モジュール、第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定する第２決定モジュール、及び／又は、前記第１セルの設定に前記第１セルの探索空間セット設定又はＰＤＣＣＨ候補数設定が含まれる場合、前記第１セルの設定に基づいて、前記第１セルのＰＤＣＣＨ候補数及び／又は監視パラメータを決定する第３決定モジュールを含む。ここで、前記第１セルは、前記第２セルによってクロスキャリアスケジューリングされるセルである。
【０００６】
第３態様として、プロセッサと、メモリと、前記メモリに格納されて前記プロセッサで動作可能なコンピュータプログラムを含む端末を更に提供し、前記コンピュータプログラムが前記プロセッサによって実行されると、第１態様に記載のクロスキャリアスケジューリングのＰＤＣＣＨ候補割当方法のステップが実現される。
【０００７】
第４態様として、プロセッサと、メモリと、前記メモリに格納されて前記プロセッサで動作可能なコンピュータプログラムを含むネットワーク側機器を更に提供し、前記コンピュータプログラムが前記プロセッサによって実行されると、第１態様に記載のクロスキャリアスケジューリングのＰＤＣＣＨ候補割当方法が実現される。
【０００８】
第５態様として、コンピュータプログラムが格納されているコンピュータ読み取り可能な記憶媒体を更に提供し、前記コンピュータプログラムがプロセッサによって実行されると、第１態様に記載のクロスキャリアスケジューリングのＰＤＣＣＨ候補割当方法が実現される。
【発明の効果】
【０００９】
本開示の実施例において、１つの探索空間セット内又は複数の探索空間セット間で、スケジューリングセル及び被スケジューリングセルを含む複数のセルのＰＤＣＣＨ候補数を合理的に割り当てることができ、端末の処理能力を十分に活用し、リソース割当制御を最大化し、制御チャネル割当ブロッキング確率を低減し、端末の処理能力を超えないことを保証するとともに、端末の不要なＰＤＣＣＨブラインド検出を低減し、端末の消費電力を低減させる。
【図面の簡単な説明】
【００１０】
他の様々な利点やメリットは、当業者にとって、以下の好適な実施形態の詳細な記載から明らかになる。図面は、好適な実施形態を示すという目的のみに用いられるものであり、本開示への制限と見なされない。しかも、すべての図面を通して、同じ参照記号で同じ設定要素を示す。
【００１１】
【図１】本開示の実施例に係る無線通信システムのアーキテクチャ概略図である。
【図２】本開示の実施例に係るクロスキャリアスケジューリングのＰＤＣＣＨ候補割当方法のフローチャートである。
【図３】本開示の実施例に係る第１機器の構造図その１である。
【図４】本開示の実施例に係る第１機器の構造図その２である。
【発明を実施するための形態】
【００１２】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１３】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んでもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００１４】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００１５】
以下、本開示の実施例について図面を参照して紹介する。本開示の実施例に係るクロスキャリアスケジューリングのＰＤＣＣＨ候補割当方法及び機器は、無線通信システムに応用可能である。該無線通信システムは、進化型ロングタームエボリューションｅＬＴＥ（Ｅｖｏｌｖｅｄ  Ｌｏｎｇ  Ｔｅｒｍ  Ｅｖｏｌｕｔｉｏｎ）システム、５Ｇシステム又はその後の進化型通信システムである。図１は、本開示の実施例に係る無線通信システムのアーキテクチャ概略図である。図１に示すように、該無線通信システムは、ネットワーク側機器１０と、ネットワーク側機器１０と通信可能な端末（又はＵＥと呼ぶ）１１とを含む。実際のアプリケーションでは、上記各機器間の接続は、無線接続でもよいが、各機器間の接続関係を直感的に示す便宜上、図１では実線で示している。
【００１６】
なお、上記通信システムは、複数の端末を含み、ネットワーク側機器は、複数の端末と通信すること（シグナリングやデータの伝送）ができる。
【００１７】
本開示の実施例に係るネットワーク側機器は、基地局である。該ネットワーク側機器は、通常使用される基地局であり、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）における基地局（ＮｏｄｅＢ）、更にＬＴＥ（Ｌｏｎｇ  Ｔｅｒｍ  Ｅｖｏｌｕｔｉｏｎ）におけるｅＮＢ又はｅＮｏｄｅＢ（Ｅｖｏｌｕｔｉｏｎａｌ  Ｎｏｄｅ  Ｂ）や５Ｇ基地局（ｇＮＢ）であってもよく、本開示の実施例において限定されない。
【００１８】
本開示の実施例に係る端末は、携帯電話、タブレットパソコン、ノートパソコン、ＵＭＰＣ（Ｕｌｔｒａ−Ｍｏｂｉｌｅ  Ｐｅｒｓｏｎａｌ  Ｃｏｍｐｕｔｅｒ）、ネットブック又はＰＤＡ（Ｐｅｒｓｏｎａｌ  Ｄｉｇｉｔａｌ  Ａｓｓｉｓｔａｎｔ）などである。
【００１９】
図２には、本開示の実施例に係るクロスキャリアスケジューリングのＰＤＣＣＨ候補割当方法のフローが示されている。該方法は、実行エンティティがネットワーク側機器又は端末であり、具体的なステップが以下である。
【００２０】
ステップ２０１において、第１セルの設定にＰＤＣＣＨ設定が含まれず、且つ第２セルの設定に前記第２セルのＰＤＣＣＨ設定のみが含まれる場合、第２セルのＰＤＣＣＨ設定に基づいて、前記第１セルのＰＤＣＣＨ候補数及び／又は監視パラメータを決定する。なお、第１セルの監視パラメータは、監視周期及び／又は監視位置等を含む。第１セル（被スケジューリングセル）の異なる監視周期及び／又は監視位置を設定することで、端末の不要なブラインド検出を低減し、省電力化を図ることができる。
【００２１】
ステップ２０２において、第１セルの設定にＰＤＣＣＨ設定が含まれず、且つ第２セルのＰＤＣＣＨ設定に第１セルの探索空間セット設定又はＰＤＣＣＨ候補数設定が含まれる場合、第１セルの探索空間セット設定又はＰＤＣＣＨ候補数設定に基づいて、第１セルのＰＤＣＣＨ候補数及び／又は監視パラメータを決定する。
【００２２】
ステップ２０３において、第１セルの設定に該第１セルの探索空間セット設定又はＰＤＣＣＨ候補数設定が含まれる場合、第１セルの設定に基づいて、第１セルのＰＤＣＣＨ候補数及び／又は監視パラメータを決定する。
【００２３】
ここで、第１セルは、第２セルによってクロスキャリアスケジューリングされるセルである。例えば、第２セルは、マスタセルであり、第１セルは、セカンダリセルである。なお、第１セルは、被スケジューリングセルと呼ばれてもよく、第２セルは、スケジューリングセルと呼ばれてもよく、本開示の実施例においてその具体的な名称が限定されないことは言うまでもない。
【００２４】
なお、本開示の実施例において、ステップ２０１、２０２及びステップ２０３の前後順は、限定されず、例えば、ステップ２０１、２０２及びステップ２０３のいずれかが実行されてもよい。
【００２５】
本開示の実施例において、ネットワーク側機器又は端末における設定パターンは、以下のいずれかを含む。
設定パターン１：第１セルの設定にＰＤＣＣＨ設定が含まれず、且つ第２セルの設定に該第２セルのＰＤＣＣＨ設定のみが含まれる。
設定パターン２：第１セルの設定にＰＤＣＣＨ設定が含まれず、且つ第２セルのＰＤＣＣＨ設定に第１セルの探索空間セット設定又はＰＤＣＣＨ候補数設定が含まれる。
設定パターン３：第１セルのＰＤＣＣＨ設定に探索空間セット設定又はＰＤＣＣＨ候補数設定が含まれる。
【００２６】
以下のことが理解可能である。設定パターン１では、第１セルの探索空間セット設定又はＰＤＣＣＨ候補数設定が明示的に設定されておらず、ネットワーク側機器又は端末は、第２セルのＰＤＣＣＨ設定に基づいて、規則又は式に従って第１セルのＰＤＣＣＨ候補数及び／又は監視パラメータを決定することができる。一方、設定パターン２では、第２セルのＰＤＣＣＨ設定に第１セルの探索空間セット設定又はＰＤＣＣＨ候補数設定が明示的に含まれており、ネットワーク側機器又は端末は、第１セルの探索空間セット設定又はＰＤＣＣＨ候補数設定に基づいて、第１セルのＰＤＣＣＨ候補数及び／又は監視パラメータを決定することができる。設定パターン３では、ネットワーク側機器又は端末は、第１セルのＰＤＣＣＨ設定に含まれる探索空間セット設定又はＰＤＣＣＨ候補数設定に基づいて、第１セルのＰＤＣＣＨ候補数及び／又は監視パラメータを直接決定することができる。
【００２７】
本開示の実施例において、ネットワーク側機器は、無線リソース制御ＲＲＣ（Ｒａｄｉｏ  Ｒｅｓｏｕｒｃｅ  Ｃｏｎｔｒｏｌ）によって、スケジューリングセル（Ｓｃｈｅｄｕｌｉｎｇ  Ｃｅｌｌ）の部分帯域幅ＢＷＰ（Ｂａｎｄ  Ｗｉｄｔｈ  Ｐａｒｔ）におけるＰＤＣＣＨの候補数を端末のために設定し、ＢＷＰには、１つ又は複数のＣＯＲＥＳＥＴ及び探索空間セットが含まれる。ここで、探索空間セットは、アグリゲーションレベルＡＬ（Ａｇｇｒｅｇａｔｉｏｎ  Ｌｅｖｅｌ）毎のＰＤＣＣＨ候補数を含む。また、ネットワーク側機器は、該スケジューリングセルによってクロスキャリアスケジューリングされる１つ又は複数の被スケジューリングセル（Ｓｃｈｅｄｕｌｅｄ  Ｃｅｌｌ）をＲＲＣによって設定することもできる。
【００２８】
本開示の一実施例において、第１セルの設定にＰＤＣＣＨ設定が含まれず、且つ第２セルの設定に第２セルのＰＤＣＣＨ設定のみが含まれる場合、ネットワーク側機器又は端末は、第２セルで設定されるＰＤＣＣＨ候補数に基づいて、第１セル毎に割り当てられるＰＤＣＣＨ候補数を決定することができる。
【００２９】
割当方式１：第２セルで設定されるＰＤＣＣＨ候補数を第１セルの全てに割り当てる。
【００３０】
任意選択で、割当方式１では、第２セルで設定されるＰＤＣＣＨ候補数に基づいて、平均的な割当方式で、第１セル毎に割り当てられる第１ＰＤＣＣＨ候補数を決定し、即ち、第１セル毎に割り当てられる第２セルで設定されるＰＤＣＣＨ候補数が同じである。又は、割当方式１では、第２セルで設定されるＰＤＣＣＨ候補数と、第１セル毎の第１因子とに基づいて、第１セル毎に割り当てられるＰＤＣＣＨ候補数を決定する。ここで、第１因子は、第１セルのセル識別子（ＩＤ）、第１セルの活性化ＢＷＰ設定のＳＣＳ、及び第１セルの帯域幅の１つ又は複数に基づいて決定される。
【００３１】
即ち、第２セルで設定されるＰＤＣＣＨ候補数を全ての第１セルに平均的に割り当てるか、第１セルのセルＩＤ又は第１セルの活性化ＢＷＰ設定のＳＣＳ又は第１セルの帯域幅などの要素に基づいて第１因子（又は、スケールファクタと呼ぶ）を計算し、第１因子（又は、スケールファクタと呼ぶ）に従って、第２セルで設定されるＰＤＣＣＨ候補数を全ての第１セルに割り当てる。なお、割当方式１の例示的な説明は、以下の例１を参照する。
【００３２】
割当方式２：第２セルで設定されるＰＤＣＣＨ候補数に基づいて、第１セル毎のアグリゲーションレベルＡＬ毎に割り当てられるＰＤＣＣＨ候補数を決定する。
【００３３】
任意選択で、割当方式２では、第１セル毎に割り当てられるＰＤＣＣＨ候補数は、第２セルで設定されるＰＤＣＣＨ候補数と同じである。なお、割当方式２の例示的な説明は、次の例２を参照する。
【００３４】
任意選択で、割当方式２では、前記第１セル毎に割り当てられるＰＤＣＣＨ候補数は、前記第２セルで設定されるＰＤＣＣＨ候補数のサブセットの数と同じである。
【００３５】
例えば、第２セルで設定されるＰＤＣＣＨ候補数のサブセットは、以下のうちのいずれかを含む。
（１）特定の探索空間セットタイプ（例えば、ＵＥ特定探索空間（ＵＥ−ｓｐｅｃｉｆｉｃ  ｓｅａｒｃｈ  ｓｐａｃｅ））を監視又はブラインド検出するための第２セルで設定されるＰＤＣＣＨ候補数。
（２）特定のＤＣＩフォーマット（例えば、ＤＣＩ  ｆｏｒｍａｔ０−１及びＤＣＩ  ｆｏｒｍａｔ１−１）を監視又はブラインド検出するための第２セルで設定されるＰＤＣＣＨ候補数。
（３）第２セルで設定される１つ又は複数の探索空間セットのＰＤＣＣＨ候補数。例えば、設定又は予め定義された１つ又は複数の探索空間ＩＤに対応する探索空間セット、又は最小の１つ又は複数の探索空間ＩＤに対応する探索空間セットである。
【００３６】
任意選択で、割当方法２では、第１セル毎に割り当てられるＰＤＣＣＨ候補数は、第２セルで設定されるＰＤＣＣＨ候補数と第２因子とに基づいて決定される。
【００３７】
第１セル毎に割り当てられるＰＤＣＣＨ候補数は、特定の規則又は特定の式に従って決定されることが理解できる。
【００３８】
例えば、第１セル毎に割り当てられるＰＤＣＣＨ候補数は、第２セルで設定されるＰＤＣＣＨ候補数と第２因子との積に等しく、更に、第１セル毎に割り当てられるＰＤＣＣＨ候補数は、第２セルで設定されたＰＤＣＣＨ候補数と第２因子との積を切り捨てた結果に等しい。例えば、前記第１セル毎に割り当てられるＰＤＣＣＨ候補数＝ｆｌｏｏｒ｛第２セルで設定されるＰＤＣＣＨ候補数×第２因子｝。
【００３９】
ここで、第２因子は、第１セルのセルパラメータと第２セルのセルパラメータとの間の関係に対応する。例えば、第２因子は、第１セルのサブキャリア帯域幅ＳＣＳ（ＳｕｂＣａｒｒｉｅｒ  Ｓｐａｃｉｎｇ）と第２セルのＳＣＳとの間の関係、及び第１セルのＳＣＳと第２セルの他のパラメータ（ＳＣＳ以外の他のセルパラメータを指す）との間の関係のいずれかに関連する。
【００４０】
本開示の実施例では、任意選択で、第２因子は、以下の式によって算出できる。
【００４１】
【数１】
2021532625.tif 000003
【００４２】
ここで、２μscheduledは、第２セルのＳＣＳに関連し、２μschedulingは、第１セルのＳＣＳに関連し、μはプロトコル定義ＳＣＳ設定である。
【００４３】
表１：μとＳＣＳとの関係
【００４４】
【表１】
2021532625.tif 000004
【００４５】
第１セルのＳＣＳ（活性化ＢＷＰのＳＣＳ）が３０ｋＨＺであり、第２セルのＳＣＳ（活性化ＢＷＰのＳＣＳ）が１５ｋＨＺである場合を例にとると、表１に基づいて、２μscheduledは、２０であり、２μschedulingは、２１であり、第１セルのＳＣＳと第２セルのＳＣＳとの関係に基づいて決定される第２因子は、２０／２１＝０．５である。
【００４６】
任意選択で、ステップ２０１における割当方式の有効化条件は、第２セルの探索空間セットが、第１下り制御情報ＤＣＩ（Ｄｏｗｎｌｉｎｋ  Ｃｏｎｔｒｏｌ  Ｉｎｆｏｒｍａｔｉｏｎ）フォーマット（ｆｏｒｍａｔ）を監視又はブラインド検出するＤＣＩとして設定されることであり、ここで、第１ＤＣＩフォーマットは、キャリア指示（Ｃａｒｒｉｅｒ  ｉｎｄｉｃａｔｏｒ）フィールドを含む。
【００４７】
例えば、第１ＤＣＩフォーマットは、ＤＣＩ  ｆｏｒｍａｔ０−１又はＤＣＩ  ｆｏｒｍａｔ１−１であり、即ち、ステップ２０１における割当方式は、第２セルの探索空間セットがＤＣＩ  ｆｏｒｍａｔ０−１又はＤＣＩ  ｆｏｒｍａｔ１−１を監視又はブラインド検出するように設定される場合にのみ有効である。本開示の一実施例において、第１セルの設定にＰＤＣＣＨ設定が含まれず、且つ第２セルのＰＤＣＣＨ設定に第１セルの探索空間セット設定又はＰＤＣＣＨ候補数設定が含まれる場合、即ち、上記設定パターン２に関して、第２セルのＰＤＣＣＨ設定は、第１セル毎のＡＬ毎のＰＤＣＣＨ候補数及び／又は監視パラメータを指示する。
【００４８】
例えば、第２セルのＰＤＣＣＨ設定には、第１セル（又は、被スケジューリングセルと呼ばれる）毎に独立して設定される探索空間セットが含まれ、探索空間セットは、関連する第１セルのセル識別子、例えば、キャリア指示フィールドＣＩＦ（Ｃａｒｒｉｅｒ  Ｉｎｄｉｃａｔｏｒ  Ｆｉｅｌｄ）の値又はセルＩＤなどを含む。なお、例示的な説明は、以下の例４を参照する。
【００４９】
本開示の一実施例において、第１セルの設定にＰＤＣＣＨ設定が含まれず、且つ第２セルのＰＤＣＣＨ設定に第１セルの探索空間セット設定又はＰＤＣＣＨ候補数設定が含まれる場合、即ち、上記設定パターン２に関して、第２セルのＰＤＣＣＨ設定における第１セルの各探索空間セット設定は、（１）第２セルに割り当てられるＰＤＣＣＨ候補数及び／又は監視パラメータ、（２）探索空間セットに関連付けられる第１セル毎のＡＬ毎に割り当てられるＰＤＣＣＨ候補数及び／又は監視パラメータの１つ又は複数を指示する。
【００５０】
任意選択で、検索空間セットは、第２ＤＣＩフォーマットを監視又はブラインド検出するＤＣＩとして設定される。ここで、第２ＤＣＩフォーマットは、キャリア指示フィールドを含む。例えば、第２ＤＣＩフォーマットは、ＤＣＩ  ｆｏｒｍａｔ０−１又はＤＣＩ  ｆｏｒｍａｔ１−１である。
【００５１】
任意選択で、探索空間セット設定は、１つ又は複数のセット又はリストを含む。ここで、セット又はリストの各項目は、１つ又は複数の前記第１セルに対応する。セット又はリストの各項目は、第１セル又は第２セルのセル識別子（例えば、ＣＩＦの値又はセルＩＤなど）、第１セル又は第２セルのＡＬ毎のＰＤＣＣＨ候補数、及び第１セル又は第２セルの監視パラメータの１つ又は複数を含む。なお、例示的な説明は、以下の例５及び６を参照する。
【００５２】
本開示の一実施例において、第１セルのＰＤＣＣＨ設定に探索空間セット設定又はＰＤＣＣＨ候補数設定が含まれる場合、即ち、設定パターン３に関し、任意選択で、第１セルの探索空間セット設定又はＰＤＣＣＨ候補数設定は、（ａ）第２セルのＣＯＲＥＳＥＴのうち、第１セルに割り当てられるＰＤＣＣＨの探索空間セット設定又はＰＤＣＣＨ候補数、（ｂ）第１セルの探索空間セットと、対応する第２セルのＣＯＲＥＳＥＴ又は探索空間セットとの間の関係（例えば、関連関係又はマッピング関係）の１つ又は複数を指示する。
【００５３】
なお、ステップ２０３における割当方式の有効化条件は、第２セルの探索空間セットが第３ＤＣＩフォーマットを監視又はブラインド検出するＤＣＩとして設定されることである。ここで、第３ＤＣＩフォーマットは、キャリア指示フィールドを含む。例えば、第３ＤＣＩフォーマットは、ＤＣＩ  ｆｏｒｍａｔ０−１又はＤＣＩ  ｆｏｒｍａｔ１−１である。
【００５４】
本開示の一実施例において、任意選択で、第１セルの探索空間セット設定又はＰＤＣＣＨ候補数設定が、第２セルの活性化ＢＷＰ内の一部又は全部のＣＯＲＥＳＥＴ又は探索空間セットに応用される。
【００５５】
第１セルの探索空間セット設定又はＰＤＣＣＨ候補数設定は、第２セルの活性化ＢＷＰ内の一部又は全部のＣＯＲＥＳＥＴ又は探索空間セットに所定の関連関係又は計算関係によって応用されることが理解できる。
【００５６】
例えば、第１セル（被スケジューリングセル）の探索空間セットを、識別子（ＩＤ）が同一の第２セル（スケジューリングセル）の探索空間セットにマッピングする。ここで、マッピング関係は、明示的に設定されたマッピング関係であってもよいし、規則又は式から導出され、例えば、ＢＷＰ内でＩＤに従ってソートされてマッピングされる暗黙的なマッピング関係であってもよい。
【００５７】
また、例えば、設定された第１セル（被スケジューリングセル）候補数は、第２セル（スケジューリングセル）毎のＢＷＰの各探索空間セット又は第３ＤＣＩフォーマットの探索空間セットに有効化される。
【００５８】
本開示の一実施例において、任意選択で、第１セルの探索空間セット設定又はＰＤＣＣＨ候補数設定が、第２セルの活性化ＢＷＰ内の一部又は全部のＣＯＲＥＳＥＴ又は探索空間セットに応用されることは、以下のいずれかを含む。
（ａ）第１セルのクロスキャリアスケジューリング設定に含まれる探索空間セット設定又はＡＬ毎のＰＤＣＣＨ候補数設定が、第２セルの全部のＢＷＰのＣＯＲＥＳＥＴ又は探索空間セットに応用される。即ち、第１セルのクロスキャリアスケジューリング設定に含まれる探索空間セット設定又はＡＬ毎のＰＤＣＣＨ候補設定が、第２セルの全部のＢＷＰのＣＯＲＥＳＥＴ又は探索空間セットに有効化される。例示的な説明は、以下の例７を参照する。
（ｂ）第１セルのサービングセル設定に含まれる探索空間セット設定又はＡＬ毎のＰＤＣＣＨ候補数設定が、第２セルの全部のＢＷＰのＣＯＲＥＳＥＴ又は探索空間セットに応用される。即ち、第１セルのサービングセル設定に含まれる探索空間セット設定又はＡＬ毎のＰＤＣＣＨ候補設定が、第２セルの全部のＢＷＰのＣＯＲＥＳＥＴ又は探索空間セットに有効化される。例示的な説明は、以下の例８を参照する。
【００５９】
本開示の一実施例において、任意選択で、第１セルのＢＷＰ設定には、第１セルの探索空間セット設定又はＡＬ毎のＰＤＣＣＨ候補数設定、及び／又は、第１セルと第２セルとのＣＯＲＥＳＥＴ又は探索空間の対応関係（関連関係又はマッピング関係）が含まれる。即ち、第１セルのＢＷＰ設定には、探索空間セット設定又はＡＬ毎のＰＤＣＣＨ候補設定が含まれ、且つ対応する第２セルのＣＯＲＥＳＥＴ又は探索空間セットとの関連関係又はマッピング関係が含まれる。なお、例示的な説明は、以下の例９を参照する。
【００６０】
本開示の実施例において、１つの探索空間セット内又は複数の探索空間セット間で、スケジューリングセル及び被スケジューリングセルを含む複数のセルのＰＤＣＣＨ候補数を合理的に割り当てることができ、端末の処理能力を十分に活用し、リソース割当制御を最大化し、制御チャネル割当ブロッキング確率を低減し、端末の処理能力を超えないことを保証する。
例１：
【００６１】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。ネットワーク側機器は、ＵＥのスケジューリングされるセルＡ、セルＢのセルＩＤ、インデックス（Ｉｎｄｅｘ）又はＣＩＦ値などを設定する。
【００６２】
本例において、ネットワーク側機器は、セルＡのＢＷＰ上のＰＤＣＣＨを設定する。ここで、活性化ＢＷＰは、１つのＣＯＲＥＳＥＴと、１つの関連する探索空間セットとを含む。探索空間セットの各ＡＬ｛１，２，４，８，１６｝のＰＤＣＣＨ候補数は、｛４，４，２，２，０｝である。セルＢの設定にＰＤＣＣＨ設定が含まれない。
【００６３】
本例において、ＵＥがセルＡのＢＷＰの探索空間セットでブラインド検出する場合、実際のＰＤＣＣＨ候補数は、セル間で平均的な割当方式で算出される。ここで、セルＡのＰＤＣＣＨ候補数が｛２，２，１，１，０｝であり、セルＢのＰＤＣＣＨ候補数が｛２，２，１，１，０｝であるため、合計のＰＤＣＣＨ候補数は、｛４，４，２，２，０｝である。ＵＥは、実際のＰＤＣＣＨ候補数｛４，４，２，２，０｝に従ってブラインド検出を行う。
例２：
【００６４】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。ネットワーク側機器は、ＵＥのスケジューリングされるセルＡ、ＢのセルＩＤ、Ｉｎｄｅｘ又はＣＩＦ値などを設定する。
【００６５】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セットの各ＡＬ｛１，２，４，８，１６｝のＰＤＣＣＨ候補数は、｛４，４，２，２，０｝である。セルＢの設定にＰＤＣＣＨ設定が含まれない。
【００６６】
本例において、ＵＥがセルＡのＢＷＰの探索空間セットでブラインド検出する場合、ＵＥは、実際のＰＤＣＣＨ候補数：｛４，４，２，２，０｝×２（実際にスケジューリングされるセル総数）＝｛８，８，４，４，０｝に従ってブラインド検出を行う。
例３：
【００６７】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。ネットワーク側機器は、ＵＥのスケジューリングされるセルＡ、セルＢのセルＩＤ、Ｉｎｄｅｘ又はＣＩＦ値などを設定する。
【００６８】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セットの各ＡＬ｛１，２，４，８，１６｝のＰＤＣＣＨ候補数は、｛４，４，２，２，０｝である。セルＢの設定にＰＤＣＣＨ設定が含まれない。
【００６９】
例えば、セルＡの活性化ＢＷＰのＳＣＳは、３０ｋＨｚであり、セルＢの活性化ＢＷＰのＳＣＳは、１５ｋＨｚである。
【００７０】
本例において、ＵＥがセルＡのＢＷＰの探索空間セットでブラインド検出する場合、実際のＰＤＣＣＨ候補数を算出する。ここで、セルＡのＰＤＣＣＨ候補数が｛４，４，２，２，０｝であり、セルＢのＰＤＣＣＨ候補数がｆｌｏｏｒ｛Ｆ｝であり、上記の式１と表１から、
【００７１】
【数２】
2021532625.tif 000005
【００７２】
よって、合計のＰＤＣＣＨ候補数は、｛６，６，３，３，０｝である。ＵＥは、実際のＰＤＣＣＨ候補数が｛６，６，３，３，０｝であることに従ってブラインド検出を行う。
例４：
【００７３】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。セルＢの設定にＰＤＣＣＨ設定が含まれない。ネットワーク側機器は、ＵＥのスケジューリングされるセルＡ、セルＢのセルＩＤ、Ｉｎｄｅｘ又はＣＩＦ値などを設定する。
【００７４】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、２つの関連する探索空間セットとを含む。探索空間セットは、セルＡとセルＢとにそれぞれ対応し、セルＡのＰＤＣＣＨ設定には、対応セル（被スケジューリングセル）、即ち、セルＢの識別子（例えば、ＣＩＦ値やセルＩＤなど）と、セルＢのＰＤＣＣＨ候補数設定及び／又は探索空間セット設定とが含まれ、ＰＤＣＣＨ候補数設定には、各ＡＬ｛１，２，４，８，１６｝に対応するＰＤＣＣＨ候補数が含まれる。ここで、セルＡに割り当てられるＰＤＣＣＨ候補数は、｛４，４，２，２，１｝であり、セルＢに割り当てられるＰＤＣＣＨ候補数は、｛２，２，２，２，０｝である。
【００７５】
本例において、ＵＥがセルＡのＢＷＰの探索空間セットでブラインド検出する場合、ＵＥは、実際のＰＤＣＣＨ候補数が｛４，４，２，２，１｝＋｛２，２，２，２，０｝＝｛６，６，４，４，１｝であることに従ってブラインド検出を行う。
例５：
【００７６】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。セルＢの設定にＰＤＣＣＨ設定が含まれない。ネットワーク側機器は、ＵＥのスケジューリングされるセルＡ、ＢのセルＩＤ、Ｉｎｄｅｘ又はＣＩＦ値などを設定する。
【００７７】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セット設定には、１つのセット又はリスト設定が含まれる。セット又はリスト設定には、セルＡとセルＢのＣＩＦ値又はセルＩＤ、ＰＤＣＣＨの候補数設定、探索空間セット設定が含まれる。探索空間セットの各ＡＬ｛１，２，４，８，１６｝のＰＤＣＣＨ候補数は、｛４，４，２，２，１｝である。
【００７８】
本例において、ＵＥがセルＡのＢＷＰの探索空間セットでブラインド検出する場合、ＵＥは、実際のＰＤＣＣＨ候補数が｛４，４，２，２，１｝＋｛４，４，２，２，１｝＝｛８，８，４，４，２｝であることに従ってブラインド検出を行う。
例６：
【００７９】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。セルＢの設定にＰＤＣＣＨ設定が含まれない。ネットワーク側機器は、ＵＥのスケジューリングされるセルＡ、ＢのセルＩＤ、Ｉｎｄｅｘ又はＣＩＦ値などを設定する。
【００８０】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セット設定には、それぞれセルＡとセルＢに割り当てられる２組のＰＤＣＣＨ候補数設定が含まれる。各組のＰＤＣＣＨ候補数設定は、各ＡＬ｛１，２，４，８，１６｝に対応するＰＤＣＣＨ候補数を含む。ここで、セルＡに割り当てられるＰＤＣＣＨ候補数は、｛４，４，２，２，１｝であり、セルＢに割り当てられるＰＤＣＣＨ候補数は、｛２，２，２，２，０｝である。
【００８１】
本例において、ＵＥがセルＡのＢＷＰの探索空間セットでブラインド検出する場合、ＵＥは、実際のＰＤＣＣＨ候補数が｛４，４，２，２，１｝＋｛２，２，２，２，０｝＝｛６，６，４，４，１｝であることに従ってブラインド検出を行う。
例７：
【００８２】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。ネットワークにおいて、ＵＥのスケジューリングされるセルＡ、ＢのセルＩＤ、Ｉｎｄｅｘ又はＣＩＦ値などを設定する。
【００８３】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セットの各ＡＬ｛１，２，４，８，１６｝のＰＤＣＣＨ候補数は、｛４，４，２，２，０｝である。
【００８４】
本例において、ネットワーク側機器は、探索空間セット設定が含まれる被スケジューリングセルＢのクロスキャリアスケジューリング設定を設定し、探索空間セットの各ＡＬ｛１，２，４，８，１６｝のＰＤＣＣＨ候補数は、｛２，２，２，２，１｝である。
【００８５】
本例において、ＵＥがセルＡのＢＷＰの探索空間セットでブラインド検出する場合、ＵＥは、実際のＰＤＣＣＨ候補数が｛４，４，２，２，０｝＋｛２，２，２，１｝＝｛６，６，４，４，１｝であることに従ってブラインド検出を行う。
例８：
【００８６】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。ネットワークにおいて、ＵＥのスケジューリングされるセルＡ、ＢのセルＩＤ、Ｉｎｄｅｘ又はＣＩＦ値などを設定する。
【００８７】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セットの各ＡＬ｛１，２，４，８，１６｝のＰＤＣＣＨ候補数は、｛４，４，２，２，０｝である。
【００８８】
本例において、ネットワーク側機器は、探索空間セット設定が含まれる被スケジューリングセルＢのサービングセル設定を設定し、且つ該探索空間セット設定に対応する探索空間セットは、セルＡのＢＷＰのＣＯＲＥＳＥＴに実際に関連付けられる。探索空間セットの各ＡＬ｛１，２，４，８，１６｝のＰＤＣＣＨ候補数は、｛２，２，２，２，１｝である。
【００８９】
本例において、ＵＥがセルＡのＢＷＰの探索空間セットでブラインド検出する場合、ＵＥは、実際のＰＤＣＣＨ候補数が｛４，４，２，２，０｝＋｛２，２，２，１｝＝｛６，６，４，４，１｝であることに従ってブラインド検出を行う。
例９：
【００９０】
本例において、ネットワーク側機器は、ＲＲＣによって、セルＡ及びセルＢの２つのセルをＵＥのために設定し、ここで、セルＡは、マスタセルであり、セルＢは、セカンダリセルであり、且つセルＡ（スケジューリングセル又は第２セルとも呼ぶ）は、セルＢ（被スケジューリングセル又は第１セルとも呼ぶ）に対しクロスキャリアスケジューリングを行う。ネットワークにおいて、ＵＥのスケジューリングされるセルＡ、ＢのセルＩＤ、Ｉｎｄｅｘ又はＣＩＦ値などを設定する。
【００９１】
本例において、ネットワーク側機器は、セルＡ（スケジューリングセル）のＢＷＰ上のＰＤＣＣＨを設定する。ここで、活性化ＢＷＰは、１つのＣＯＲＥＳＥＴと、１つの関連する探索空間セットとを含む。探索空間セットの各ＡＬ｛１，２，４，８，１６｝のＰＤＣＣＨ候補数は、｛４，４，２，２，０｝である。
【００９２】
本例において、ネットワーク側機器は、探索空間セット設定が含まれる被スケジューリングセルＢのＢＷＰ設定を設定し、且つ該探索空間セット設定に対応する探索空間セットは、実際にセルＡのＢＷＰのＣＯＲＥＳＥＴに関連付けられる。探索空間セットの各ＡＬ  ｛１，２，４，８，１６｝のＰＤＣＣＨ候補数は、｛２，２，２，２，１｝である。
【００９３】
本例において、ＵＥがセルＡのＢＷＰの探索空間セットでブラインド検出する場合、ＵＥは、実際のＰＤＣＣＨ候補数が｛４，４，２，２，０｝＋｛２，２，２，１｝＝｛６，６，４，４，１｝であることに従ってブラインド検出を行う。
【００９４】
本開示の実施例は、第１機器を更に提供する。第１機器が問題を解決する原理は、本開示の実施例に係るクロスキャリアスケジューリングのＰＤＣＣＨ候補割当方法と類似しているので、該第１機器の実施は、方法の実施を参照してもよく、繰り返した説明を避ける。
【００９５】
図３を参照し、本開示の実施例は、第１機器を更に提供する。該第１機器３００は、第１決定モジュール３０１、第２決定モジュール３０２、及び／又は、第３決定モジュール３０３を含む。第１決定モジュール３０１は、第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定する。なお、第１セルの監視パラメータは、監視周期及び／又は監視位置等を含む。第１セル（被スケジューリングセル）の異なる監視周期及び／又は監視位置を設定することで、端末の不要なブラインド検出を低減し、省電力化を図ることができる。第２決定モジュール３０２は、第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定する。第３決定モジュール３０３は、前記第１セルの設定に第１セルの探索空間セット設定又はＰＤＣＣＨ候補数設定が含まれる場合、前記第１セルの設定に基づいて、前記第１セルのＰＤＣＣＨ候補数及び／又は監視パラメータを決定する。ここで、前記第１セルは、前記第２セルによってクロスキャリアスケジューリングされるセルである。
【００９６】
本開示の一実施例において、任意選択で、前記第１決定モジュール３０１は、更に、キャリア指示フィールドを含む第１下り制御情報ＤＣＩフォーマットを監視又はブラインド検出するように第２セルの探索空間セットが設定される場合、第２セルで設定されるＰＤＣＣＨ候補数に基づいて、前記第１セル毎に割り当てられるＰＤＣＣＨ候補数を決定する。
【００９７】
本開示の一実施例において、任意選択で、前記第１決定モジュール３０１は、更に、前記第２セルで設定されるＰＤＣＣＨ候補数の平均的な割当方式で、前記第１セル毎に割り当てられるＰＤＣＣＨ候補数を決定し、又は、前記第２セルで設定されるＰＤＣＣＨ候補数及び第１セル毎の第１因子に基づいて、前記第１セル毎に割り当てられるＰＤＣＣＨ候補数を決定する。ここで、前記第１因子は、前記第１セルのセル識別子、前記第１セルの活性化部分帯域幅ＢＷＰ設定のサブキャリア帯域幅ＳＣＳ及び前記第１セルの帯域幅の１つ又は複数に基づいて決定される。
【００９８】
本開示の一実施例において、任意選択で、前記第１セル毎に割り当てられるＰＤＣＣＨ候補数は、前記第２セルで設定されるＰＤＣＣＨ候補数と同じであり、又は、前記第１セル毎に割り当てられるＰＤＣＣＨ候補数は、前記第２セルで設定されるＰＤＣＣＨ候補数のサブセットの数と同じであり、又は、前記第１セル毎に割り当てられるＰＤＣＣＨ候補数は、前記第２セルで設定されるＰＤＣＣＨ候補数及び第２因子に基づいて決定される。ここで、前記第２因子は、前記第１セルのセルパラメータと前記第２セルのセルパラメータとの関係に対応する。例えば、前記第２因子は、前記第１セルのＳＣＳと前記第２セルのＳＣＳとの間の関係、及び、前記第１セルのＳＣＳと前記第２セルの他のパラメータとの間の関係のいずれかに関連する。
【００９９】
本開示の一実施例において、任意選択で、前記第２セルで設定されるＰＤＣＣＨ候補数のサブセットは、特定の探索空間セットタイプを監視又はブラインド検出するための前記第２セルで設定されるＰＤＣＣＨ候補数、特定のＤＣＩフォーマットを監視又はブラインド検出するための前記第２セルで設定されるＰＤＣＣＨ候補数、及び前記第２セルで設定される１つ又は複数の探索空間セットのＰＤＣＣＨ候補数のいずれかを含む。
【０１００】
本開示の一実施例において、任意選択で、第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第２セルのＰＤＣＣＨ設定は、前記第１セル毎のＡＬ毎のＰＤＣＣＨ候補数及び／又は監視パラメータを指示する。又は、前記第２セルのＰＤＣＣＨ設定における第１セルの各探索空間セット設定は、前記第２セルに割り当てられるＰＤＣＣＨ候補数及び／又は監視パラメータ、及び探索空間セットに関連付けられる前記第１セル毎のＡＬ毎に割り当てられるＰＤＣＣＨ候補数及び／又は監視パラメータの１つ又は複数を指示する。
【０１０１】
本開示の一実施例において、任意選択で、前記探索空間セットは、キャリア指示フィールドを含む第２ＤＣＩフォーマットを監視又はブラインド検出するＤＣＩとして設定される。
【０１０２】
本開示の一実施例において、任意選択で、前記第１セルの探索空間セット設定は、前記第１セル又は第２セルのセル識別子、前記第１セル又は第２セルのＡＬ毎のＰＤＣＣＨ候補数、及び前記第１セル又は第２セルの監視パラメータの１つ又は複数を含む。
【０１０３】
本開示の一実施例において、任意選択で、前記第１セルの設定に前記第１セルの探索空間セット設定又はＰＤＣＣＨ候補数設定が含まれる場合、前記第１セルの探索空間セット設定又はＰＤＣＣＨ候補数設定は、前記第２セルのＣＯＲＥＳＥＴのうち前記第１セルに割り当てられるＰＤＣＣＨの探索空間セット設定又はＰＤＣＣＨ候補数、前記第１セルの探索空間セットと前記第２セルのＣＯＲＥＳＥＴ又は探索空間セットとの間の関係の１つ又は複数を指示する。
【０１０４】
本開示の一実施例において、任意選択で、前記第３決定モジュール３０３は、更に、キャリア指示フィールドを含む第３ＤＣＩフォーマットを監視又はブラインド検出するように前記第２セルの探索空間セットが設定される場合、前記第１セルのＰＤＣＣＨ設定に基づいて、前記第１セルのＰＤＣＣＨ候補数及び／又は監視パラメータを決定する。
【０１０５】
本開示の一実施例において、任意選択で、前記第１セルの探索空間セット設定又はＰＤＣＣＨ候補数設定が、前記第２セルの活性化ＢＷＰ内の一部又は全部のＣＯＲＥＳＥＴ又は探索空間セットに応用される。
【０１０６】
本開示の一実施例において、任意選択で、前記第１セルの探索空間セット設定又はＰＤＣＣＨ候補数設定が、前記第２セルの活性化ＢＷＰ内の一部又は全部のＣＯＲＥＳＥＴ又は探索空間セットに応用されることは、前記第１セルのクロスキャリアスケジューリング設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されること、及び、前記第１セルのサービングセル設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されることのいずれかを含む。
【０１０７】
本開示の一実施例において、任意選択で、前記第１セルのＢＷＰ設定には、前記第１セルの探索空間セット設定又はＡＬ毎のＰＤＣＣＨ候補数設定、及び／又は、前記第１セルと前記第２セルとのＣＯＲＥＳＥＴ又は探索空間の対応関係が含まれる。
【０１０８】
図３に示す第１機器は、上記方法の実施例を実行することができ、その実現原理及び技術効果が類似であることが理解可能であり、本実施例において繰り返して述べない。
【０１０９】
図４を参照し、本開示の実施例は、別の第１機器４００を提供し、プロセッサ４０１と、トランシーバ４０２と、メモリ４０３と、バスインタフェースを含む。
【０１１０】
ここで、プロセッサ４０１は、バスアーキテクチャと通常の処理を管理する。メモリ４０３は、プロセッサ４０１による操作実行に使用されるデータを記憶できる。
【０１１１】
本開示の実施例において、第１機器４００は、メモリ４０３に格納されてプロセッサ４０１で動作可能なコンピュータプログラムを更に含む。該コンピュータプログラムがプロセッサ４０１によって実行されると、第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定すること、又は、第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定すること、又は、第１セルの設定に第１セルの探索空間セット設定又はＰＤＣＣＨ候補数設定が含まれる場合、前記第１セルの設定に基づいて、前記第１セルのＰＤＣＣＨ候補数及び／又は監視パラメータを決定することが実現され、ここで、前記第１セルは、前記第２セルによってクロスキャリアスケジューリングされるセルである。
【０１１２】
図４において、バスアーキテクチャは、任意数の相互接続するバスとブリッジを含み、具体的に、プロセッサ４０１をはじめとする１つ又は複数のプロセッサとメモリ４０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本開示の実施例においてさらなる記載をしない。バスインタフェースにより、インタフェースが提供される。トランシーバ４０２は、複数の部品であってもよく、即ち送信機と受信機を含み、伝送媒体でほかの各種類の装置と通信するユニットとして提供される。
【０１１３】
図４に示す第１機器は、上記方法の実施例を実行することができ、その実現原理及び技術効果が類似であることが理解可能であり、本実施例において繰り返して述べない。
【０１１４】
本開示の開示内容と関連付けて記載した方法又はアルゴリズムのステップは、ハードウェアの方式で実現されてもよく、プロセッサでソフトウェア指令を実行する方式で実現されてもよい。ソフトウェア指令は、対応するソフトウェアモジュールで設定される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスク又は本分野で周知されているあらゆる形式の記憶媒体に格納する。例示的な記憶媒体は、プロセッサに結合される。よって、プロセッサは、当該記憶媒体から情報を読み取り、且つ当該記憶媒体に情報を書き込むことができる。もちろん、記憶媒体は、プロセッサの設定部分であってもよい。プロセッサと記憶媒体は、ＡＳＩＣに搭載してもよい。また、当該ＡＳＩＣは、コアネットワークインタフェース機器に搭載してもよい。もちろん、プロセッサと記憶媒体は、分離設定としてコアネットワークインタフェース機器に搭載してもよい。
【０１１５】
上記の１つ又は複数の例において、本開示に記載の機能がハードウェア、ソフトウェア、ファームウェア又はそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つ又は複数の指令又はコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用又は特殊用途向けのコンピュータによってアクセス可能なあらゆる利用可能な媒体である。
【０１１６】
以上に記載した具体的な実施形態によって、本開示の目的、技術手段及び効果をさらなる詳細な説明をした。なお、以上の記載は、本開示の具体的な実施形態に過ぎず、本開示の保護範囲を限定するためのものではない。本開示の技術手段を基に為したあらゆる修正、均等置換及び改良などは、すべて本開示の保護範囲に含まれるべきである。
【０１１７】
本開示の実施例が、方法、システム、又はコンピュータプログラム製品として提供できることは、当業者には理解できる。従って、本開示の実施例は、完全なハードウェア実施例、完全なソフトウェア実施例、又はソフトウェアとハードウェアを組み合わせた実施例の形態を採用できる。更に、本開示の実施例は、コンピュータ使用可能プログラムコードを含む１つ又は複数のコンピュータ使用可能記憶媒体（磁気ディスクメモリ、ＣＤ−ＲＯＭ、光学メモリなどを含むが、それに限られない）で実施されるコンピュータプログラム製品の形態を採用できる。
【０１１８】
本開示の実施例は、本開示の実施例による方法、機器（システム）、及びコンピュータプログラム製品のフローチャート及び／又はブロック図を参照して説明される。フローチャート及び／又はブロック図の各フロー及び／又はブロック、並びにフローチャート及び／又はブロック図におけるフロー及び／又はブロックの組み合わせは、コンピュータプログラム指令によって実現されることが理解できる。これらのコンピュータプログラム指令は、汎用コンピュータ、専用コンピュータ、組み込みプロセッサ、又は他のプログラム可能なデータ処理端末機器のプロセッサに提供されて、マシンを生成し、コンピュータ又は他のプログラム可能なデータ処理端末機器のプロセッサによって実行される指令が、フローチャートの１つのフロー若しくは複数のフロー及び／又はブロック図の１つのブロック若しくは複数のブロックにおいて指定される機能を実現するための手段を生成するようにしてもよい。
【０１１９】
これらのコンピュータプログラム指令は、コンピュータ又は他のプログラム可能なデータ処理端末機器に特定の方法で機能するように指示することができるコンピュータ可読メモリに記憶されてもよく、その結果、コンピュータ可読メモリに記憶された指令は、フローチャートの１つ若しくは複数の流れ、及び／又はブロック図の１つ若しくは複数のブロックにおいて指定された機能を実現する指令手段を含む製品を生成する。
【０１２０】
これらのコンピュータプログラム指令は、コンピュータ又は他のプログラム可能な端末機器上で一連の動作ステップを実行してコンピュータ実現プロセスを生成し、それにより、コンピュータ又は他のプログラム可能な端末機器上で実行される指令が、フローチャートの１つのフロー若しくは複数のフロー及び／又はブロック図の１つのブロック若しくは複数のブロックにおいて指定される機能を実現するためのステップを提供するように、コンピュータ又は他のプログラム可能なデータ処理端末機器上にロードされてもよい。
【０１２１】
明らかに、当業者は、本開示の実施例に対し、本開示の趣旨や範囲を逸脱することなく様々な変更や変形を行うことができる。このように、本開示の実施例のこれらの修正や変形が本開示の特許請求の範囲及びその同等技術の範囲に属するのであれば、本開示は、これらの変更や変形を含むものとする。
【符号の説明】
【０１２２】
１０  ネットワーク側機器
１１  通信可能な端末
３００  第１機器
３０１  第１決定モジュール
３０２  第２決定モジュール
４００  第１機器
４０１  プロセッサ
４０２  トランシーバ
４０３  メモリ
【図１】
2021532625.tif 000006
【図２】
2021532625.tif 000007
【図３】
2021532625.tif 000008
【図４】
2021532625.tif 000009
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
ネットワーク側機器又は端末に応用される、クロスキャリアスケジューリングの物理下り制御チャネルＰＤＣＣＨ候補割当方法であって、
第１セルの設定に前記第１セルの探索空間セット設定又はＰＤＣＣＨ候補数設定が含まれる場合、前記第１セルの設定に基づいて、前記第１セルのＰＤＣＣＨ候補数及び／又は監視パラメータを決定すること、又は、
第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定すること、又は、
第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定すること
を含み、
ここで、前記第１セルは、前記第２セルによってクロスキャリアスケジューリングされるセルであるクロスキャリアスケジューリングのＰＤＣＣＨ候補割当方法。
【請求項２】
前記第１セルの設定に前記第１セルの探索空間セット設定又はＰＤＣＣＨ候補数設定が含まれる場合、
前記第１セルの探索空間セット設定又はＰＤＣＣＨ候補数設定は、前記第２セルの制御リソースセットＣＯＲＥＳＥＴのうち前記第１セルに割り当てられるＰＤＣＣＨの探索空間セット設定又はＰＤＣＣＨ候補数、前記第１セルの探索空間セットと前記第２セルのＣＯＲＥＳＥＴ又は探索空間セットとの間の関係の１つ又は複数を指示する、請求項１に記載の方法。
【請求項３】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用される、請求項２に記載の方法。
【請求項４】
前記第１セルのＢＷＰ設定には、前記第１セルの探索空間セット設定又はＡＬ毎のＰＤＣＣＨ候補数設定、及び／又は、前記第１セルと前記第２セルとのＣＯＲＥＳＥＴ又は探索空間の対応関係が含まれる、請求項２に記載の方法。
【請求項５】
前記第１セルのＰＤＣＣＨ設定に基づいて、前記第１セルのＰＤＣＣＨ候補数及び／又は監視パラメータを決定することは、
キャリア指示フィールドを含む第３ＤＣＩフォーマットを監視又はブラインド検出するように前記第２セルの探索空間セットが設定される場合、前記第１セルのＰＤＣＣＨ設定に基づいて、前記第１セルのＰＤＣＣＨ候補数及び／又は監視パラメータを決定することを含む、請求項１に記載の方法。
【請求項６】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用されることは、
前記第１セルのクロスキャリアスケジューリング設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されること、及び、前記第１セルのサービングセル設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されることのいずれかを含む、請求項３に記載の方法。
【請求項７】
第１セルの設定に前記第１セルの探索空間セット設定又はＰＤＣＣＨ候補数設定が含まれる場合、前記第１セルの設定に基づいて、前記第１セルのＰＤＣＣＨ候補数及び／又は監視パラメータを決定する第３決定モジュール、
第１セルの設定にＰＤＣＣＨ設定が含まれず、且つ第２セルの設定に前記第２セルのＰＤＣＣＨ設定のみが含まれる場合、前記第２セルのＰＤＣＣＨ設定に基づいて、前記第１セルのＰＤＣＣＨ候補数及び／又は監視パラメータを決定する第１決定モジュール、及び／又は、
第１セルの設定にＰＤＣＣＨ設定が含まれず、且つ第２セルのＰＤＣＣＨ設定に前記第１セルの探索空間セット設定又はＰＤＣＣＨ候補数設定が含まれる場合、前記第１セルの探索空間セット設定又はＰＤＣＣＨ候補数設定に基づいて、前記第１セルのＰＤＣＣＨ候補数及び／又は監視パラメータを決定する第２決定モジュール
を含み、
ここで、前記第１セルは、前記第２セルによってクロスキャリアスケジューリングされるセルである第１機器。
【請求項８】
前記第１セルの設定に前記第１セルの探索空間セット設定又はＰＤＣＣＨ候補数設定が含まれる場合、
前記第１セルの探索空間セット設定又はＰＤＣＣＨ候補数設定は、前記第２セルの制御リソースセットＣＯＲＥＳＥＴのうち前記第１セルに割り当てられるＰＤＣＣＨの探索空間セット設定又はＰＤＣＣＨ候補数、前記第１セルの探索空間セットと前記第２セルのＣＯＲＥＳＥＴ又は探索空間セットとの間の関係の１つ又は複数を指示する、請求項７に記載の第１機器。
【請求項９】
前記第３決定モジュールは、更に、キャリア指示フィールドを含む第３ＤＣＩフォーマットを監視又はブラインド検出するように前記第２セルの探索空間セットが設定される場合、前記第１セルのＰＤＣＣＨ設定に基づいて、前記第１セルのＰＤＣＣＨ候補数及び／又は監視パラメータを決定する、請求項７に記載の第１機器。
【請求項１０】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用される、請求項８に記載の第１機器。
【請求項１１】
前記第１セルの探索空間セット設定又はＰＤＣＣＨ候補数設定が、前記第２セルの活性化ＢＷＰ内の一部又は全部のＣＯＲＥＳＥＴ又は探索空間セットに応用されることは、
前記第１セルのクロスキャリアスケジューリング設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されること、及び、前記第１セルのサービングセル設定に含まれる探索空間セット設定又はＡＬ毎のＰＤＣＣＨ候補数設定が、前記第２セルの一部又は全部のＢＷＰのＣＯＲＥＳＥＴ又は探索空間セットに応用されることのいずれかを含む、請求項１０に記載の第１機器。
【請求項１２】
前記第１セルのＢＷＰ設定には、前記第１セルの探索空間セット設定又はＡＬ毎のＰＤＣＣＨ候補数設定、及び／又は、前記第１セルと前記第２セルとのＣＯＲＥＳＥＴ又は探索空間の対応関係が含まれる、請求項８に記載の第１機器。
【請求項１３】
プロセッサと、メモリと、前記メモリに格納されて前記プロセッサで動作可能なコンピュータプログラムを含む端末であって、
前記コンピュータプログラムが前記プロセッサによって実行されると、請求項１〜６のいずれか１項に記載のクロスキャリアスケジューリングのＰＤＣＣＨ候補割当方法が実現される、端末。
【請求項１４】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項１〜６のいずれか１項に記載のクロスキャリアスケジューリングのＰＤＣＣＨ候補割当方法が実現される、ネットワーク側機器。
【請求項１５】
コンピュータプログラムが格納されているコンピュータ読み取り可能な記憶媒体であって、
前記コンピュータプログラムがプロセッサによって実行されると、請求項１〜６のいずれか１項に記載のクロスキャリアスケジューリングのＰＤＣＣＨ候補割当方法が実現される、コンピュータ読み取り可能な記憶媒体。
【手続補正２】
【補正対象書類名】明細書
【補正対象項目名】００５８
【補正方法】変更
【補正の内容】
【００５８】
本開示の一実施例において、任意選択で、第１セルの探索空間セット設定又はＰＤＣＣＨ候補数設定が、第２セルの活性化ＢＷＰ内の一部又は全部のＣＯＲＥＳＥＴ又は探索空間セットに応用されることは、以下のいずれかを含む。
（ａ）第１セルのクロスキャリアスケジューリング設定に含まれる探索空間セット設定又はＡＬ毎のＰＤＣＣＨ候補数設定が、第２セルの全部のＢＷＰのＣＯＲＥＳＥＴ又は探索空間セットに応用される。即ち、第１セルのクロスキャリアスケジューリング設定に含まれる探索空間セット設定又はＡＬ毎のＰＤＣＣＨ候補数設定が、第２セルの全部のＢＷＰのＣＯＲＥＳＥＴ又は探索空間セットに有効化される。例示的な説明は、以下の例７を参照する。
（ｂ）第１セルのサービングセル設定に含まれる探索空間セット設定又はＡＬ毎のＰＤＣＣＨ候補数設定が、第２セルの全部のＢＷＰのＣＯＲＥＳＥＴ又は探索空間セットに応用される。即ち、第１セルのサービングセル設定に含まれる探索空間セット設定又はＡＬ毎のＰＤＣＣＨ候補数設定が、第２セルの全部のＢＷＰのＣＯＲＥＳＥＴ又は探索空間セットに有効化される。例示的な説明は、以下の例８を参照する。
【手続補正３】
【補正対象書類名】明細書
【補正対象項目名】００５９
【補正方法】変更
【補正の内容】
【００５９】
本開示の一実施例において、任意選択で、第１セルのＢＷＰ設定には、第１セルの探索空間セット設定又はＡＬ毎のＰＤＣＣＨ候補数設定、及び／又は、第１セルと第２セルとのＣＯＲＥＳＥＴ又は探索空間の対応関係（関連関係又はマッピング関係）が含まれる。即ち、第１セルのＢＷＰ設定には、探索空間セット設定又はＡＬ毎のＰＤＣＣＨ候補数設定が含まれ、且つ対応する第２セルのＣＯＲＥＳＥＴ又は探索空間セットとの関連関係又はマッピング関係が含まれる。なお、例示的な説明は、以下の例９を参照する。
【国際調査報告】
2021532625.tif 000010
2021532625.tif 000011
2021532625.tif 000012
2021532625.tif 000013